(57)【要約】【課題】収集したドレンをプラントに敷設された配管に排出する構成の蒸気タービンから、収集したドレンをタービン車室に設けた排出孔を介して蒸気タービン外に排出する構成の蒸気タービンへの換装工事において、現地工事の工程及び工期の短縮が可能な蒸気タービンのドレン排出構造及びその改造方法を提供する。【解決手段】蒸気タービンのドレン排出構造は、蒸気タービン内で発生したドレンを収集するドレンポケット２１及びドレンポケット２１の下側に連通するドレン排出孔２４に加えて、ドレン排出孔２４の出口下方に配設されてドレン排出孔２４から排出されるドレンを回収するドレン受け２６と、一端がドレン受け２６の底部に接続され、他端が蒸気タービンの外部に敷設される配管に接続可能である接続管２７とを備える。【選択図】  図２
2019019680.tif 000002
【特許請求の範囲】
【請求項１】
回転体を内包する静止体の一部により画成されて周方向に延在するドレンポケットと、前記ドレンポケットの下側に連通するように前記静止体の下側部分に設けられたドレン排出孔とを備える蒸気タービンのドレン排出構造であって、
前記ドレン排出孔の出口下方に配設され、前記ドレン排出孔から排出されるドレンを回収するドレン受けと、
一端が前記ドレン受けの底部に接続され、他端が前記蒸気タービンの外部に敷設される配管に接続可能である接続管とを備える
ことを特徴とする蒸気タービンのドレン排出構造。
【請求項２】
請求項１に記載の蒸気タービンのドレン排出構造において、
前記ドレン排出孔は、前記静止体の周方向に沿って複数設けられており、
前記ドレン受けは、前記複数のドレン排出孔の前記周方向の一端から他端まで延在する部材である
ことを特徴とする蒸気タービンのドレン排出構造。
【請求項３】
請求項１又は２に記載の蒸気タービンのドレン排出構造において、
前記静止体は、前記回転体を内包するタービン車室と、前記タービン車室の内周側に配列された複数の静翼と、前記タービン車室に固定されて前記複数の静翼を支持する環状の翼根リングとを有し、
前記ドレンポケットは、前記翼根リングの内部に形成されている中空部であり、
前記ドレン排出孔は、前記翼根リングの固定された前記タービン車室の部分に設けられている
ことを特徴とする蒸気タービンのドレン排出構造。
【請求項４】
請求項１又は２に記載の蒸気タービンのドレン排出構造において、
前記静止体は、前記回転体を内包するタービン車室と、前記タービン車室の内周側に配列された複数の静翼と、前記タービン車室に固定されて前記複数の静翼を支持する環状の翼根リングとを有し、
前記ドレンポケットは、前記タービン車室と前記翼根リングとにより画成された空間であり、
前記ドレン排出孔は、前記ドレンポケットを画成する前記タービン車室の下側部分に設けられている
ことを特徴とする蒸気タービンのドレン排出構造。
【請求項５】
回転体を内包する静止体の一部により画成されて周方向に延在するドレンポケットと、前記ドレンポケットの下側に連通するように前記静止体の下側部分に設けられ、前記ドレンポケットに収集されたドレンを外部に排出するドレン排出孔とを備える蒸気タービンのドレン排出構造の改造方法において、
前記ドレン排出孔の出口下方にドレンを回収可能なドレン受けを配設し、
前記蒸気タービンの外部に敷設される配管に一端を接続可能である接続管の他端を前記ドレン受けの底部に接続する
ことを特徴とする蒸気タービンのドレン排出構造の改造方法。
【請求項６】
請求項５に記載の蒸気タービンのドレン排出構造の改造方法において、
前記ドレン排出孔は、前記静止体の周方向に沿って複数設けられており、
前記ドレン受けは、前記複数のドレン排出孔の前記周方向の一端から他端まで延在する部材である
ことを特徴とする蒸気タービンのドレン排出構造の改造方法。
【発明の詳細な説明】
【技術分野】
【０００１】
本発明は、蒸気タービンのドレン排出構造及びその改造方法に関する。
【背景技術】
【０００２】
原子力発電所や火力発電所などで使用される蒸気タービンでは、一般に、水滴を含む湿り蒸気中で作動する領域があり、翼の後流に数十ミクロンメートル以上の比較的大きな水滴が形成されることがある。特に、蒸気タービンの最終段動翼の先端部では、蒸気の湿り度が高くしかも周速が高速となるので、このような粗大水滴が翼面に高速で衝突する頻度が高く、エロージョンが発生しやすい環境となる。そこで、エロージョンの防止策として、水滴の捕獲や除去、分離等を行うための様々な構造が提案されている。
【０００３】
例えば、複数の静翼及び動翼が収納されて内部に蒸気通路を形成するタービン車室と、このタービン車室に固定されて静翼を固定支持する翼根リングとを有する蒸気タービンの車室構造において、タービン車室と翼根リングとの間にリング状の空間であるドレンポケットを形成し、蒸気通路の外周であって最終段静翼の下流且つ最終段動翼上流に、ドレンポケットと蒸気通路とを連通可能にする水滴回収用スリットを設けたものがある（特許文献１参照）。この特許文献１に記載の蒸気タービンの車室構造では、最終段静翼での熱落差により生じた水滴（ドレン）を、水滴回収用スリットを介してドレンポケットに集め、真空吸引装置により吸引して回収すると共に、リング状のドレンポケットの下部に設けた排出孔から自重により外部に排出している。
【先行技術文献】
【特許文献】
【０００４】
【特許文献１】特開２０１２−２１３５号公報
【発明の概要】
【発明が解決しようとする課題】
【０００５】
蒸気タービンのドレン排出方法として、特許文献１に記載の蒸気タービンの車室構造のように、タービン車室に設けた排出孔からドレンを蒸気タービン外の周囲にそのまま排出して処理するものがある。別のドレン排出方法として、タービン車室内等に設けた管路等を介して、ドレンを蒸気タービン外に敷設したプラントの配管に排出して処理するものもある。
【０００６】
ところで、ドレンの排出方法が上記のように異なっている蒸気タービンを換装する場合、このドレンの排出方法の相違に起因して蒸気タービンの換装工事の工程の増加及び工期の長期化が生ずる場合がある。具体的には、蒸気タービン外に敷設されているプラントの配管にドレンを排出する構成の蒸気タービンを、タービン車室の排出孔から蒸気タービン外の周囲にドレンをそのまま排出する構成の蒸気タービンに換装する場合、蒸気タービン外のドレン処理用の配管が不要となるので、この既設配管を撤去する必要がある。したがって、既設配管の撤去の分、現地工事の工程が増え、工期が延びるという問題が生じる。
【０００７】
本発明は、上記の問題点を解消するためになされたものであり、その目的は、収集したドレンをプラントに敷設された配管に排出する構成の蒸気タービンから、収集したドレンをタービン車室に設けた排出孔を介して蒸気タービン外に排出する構成の蒸気タービンへの換装工事において、現地工事の工程及び工期の短縮が可能な蒸気タービンのドレン排出構造及びその改造方法を提供するものである。
【課題を解決するための手段】
【０００８】
上記課題を解決するため、例えば特許請求の範囲に記載の構成を採用する。
本願は上記課題を解決する手段を複数含んでいるが、その一例を挙げるならば、回転体を内包する静止体の一部により画成されて周方向に延在するドレンポケットと、前記ドレンポケットの下側に連通するように前記静止体の下側部分に設けられたドレン排出孔とを備える蒸気タービンのドレン排出構造であって、前記ドレン排出孔の出口下方に配設され、前記ドレン排出孔から排出されるドレンを回収するドレン受けと、一端が前記ドレン受けの底部に接続され、他端が前記蒸気タービンの外部に敷設される配管に接続可能である接続管とを備えることを特徴とする。
【発明の効果】
【０００９】
本発明によれば、ドレン排出孔の出口下方にドレンを回収するドレン受けを設けると共に、蒸気タービン外に敷設される配管に接続可能な接続管の一端をドレン受けの底部に接続しているので、ドレンポケットに収集されたドレンを、ドレン排出孔、ドレン受け、及び接続管を順に介して蒸気タービン外の配管に排出して処理することが可能である。すなわち、収集したドレンをプラントに敷設された配管に排出する構成の蒸気タービンから、収集したドレンを静止体の排出孔を介して蒸気タービン外に排出する構成の蒸気タービンへの換装工事では、蒸気タービン外の既設配管をドレン処理用の配管として流用することができるので、蒸気タービン外の既設配管を撤去する必要がなく、現地工事の工程及び工期の短縮が可能となる。
上記した以外の課題、構成及び効果は、以下の実施形態の説明により明らかにされる。
【図面の簡単な説明】
【００１０】
【図１】本発明の蒸気タービンのドレン排出構造の第１の実施の形態を適用した蒸気タービンの要部構造示す縦断面図である。
【図２】図１に示す本発明の蒸気タービンのドレン排出構造の第１の実施の形態を拡大して示す断面図である。
【図３】収集したドレンを蒸気タービン外の周囲にそのまま排出する従来の蒸気タービンのドレン排出構造を示す断面図である。
【図４】本発明の蒸気タービンのドレン排出構造の第２の実施の形態を示す断面図である。
【発明を実施するための形態】
【００１１】
以下、本発明の蒸気タービンのドレン排出構造及びその改造方法の実施の形態を図面を用いて説明する。
【００１２】
［第１の実施の形態］
まず、本発明の蒸気タービンのドレン排出構造の第１の実施の形態を適用した蒸気タービンの構成を図１を用いて説明する。図１は本発明の蒸気タービンのドレン排出構造の第１の実施の形態を適用した蒸気タービンの要部構造示す縦断面図である。図１中、白抜き矢印は蒸気の流れを示している。
【００１３】
図１において、蒸気タービン１は、回転体２と、回転体２を内包する静止体３とを備えている。回転体２は、静止体３に回転可能に支持されたロータ軸５と、ロータ軸５の軸方向に並べられた複数の動翼列６とを有している。各動翼列６は、ロータ軸５の外周部に周方向に配列された複数の動翼７で構成されている。
【００１４】
静止体３は、ロータ軸５及び動翼列６を内包するタービン車室９と、各動翼列６の上流側に配置された複数の静翼列１０とを有している。タービン車室９は、例えば、上半ケーシング（図示せず）と下半ケーシング９ａとに分割されている。各静翼列１０は、タービン車室９の内周側に周方向に配列された複数の静翼１１で構成されている。各静翼１１は、その径方向外側端が環状の翼根リング１２に、その径方向内側端が環状のシュラウド１３にそれぞれ溶接等により固定されている。翼根リング１２及びシュラウド１３は、例えば、複数のセグメントに分割されている。翼根リング１２の各セグメントは、ボルト等の固定手段（図示せず）によりタービン車室９に取り付けられている。
【００１５】
タービン車室９の内部における複数の動翼列６及び静翼列１０の配置部分には、蒸気が流通する環状流路Ｐが形成されている。つまり、環状流路Ｐは、タービン車室９の内周面や翼根リング１２の内周壁面、動翼７の根元部の外周面やシュラウド１３の外周面等により画成されている。
【００１６】
１つの動翼列６とその上流側の１つの静翼列１０とにより、１つの段落が構成される。すなわち、蒸気タービン１は複数の段落（図１では、５段）を備えている。最終段の動翼列６の下流側の外周端側には、最終段の動翼列６から流出する蒸気を排気室（図示せず）に滑らかに導くフローガイド１４が配置されている。フローガイド１４は、例えば、溶接等によりコレクターリング１５に取り付けられており、コレクターリング１５を介してタービン車室９等の静止体３に固定されている。
【００１７】
蒸気タービン１の蒸気流れの下流側には、通常、蒸気タービン１から排出された蒸気を凝縮させて水に戻す復水器（図示せず）が配置される。また、蒸気タービン１には、例えば、発電機や圧縮機等の負荷がロータ軸５を介して接続される。
【００１８】
次に、本発明の蒸気タービンのドレン排出構造の第１の実施の形態を図２を用いて説明する。図２は図１に示す本発明の蒸気タービンのドレン排出構造の第１の実施の形態を拡大して示す断面図である。図２中、白抜き矢印は蒸気の流れを示している。なお、図２において、図１に示す符号と同符号ものは、同様な部分であるので、その詳細な説明は省略する。
【００１９】
本発明の蒸気タービンのドレン排出構造の第１の実施の形態は、最終段落の構造に適用したものである。これは、最終段の動翼７の先端部では、蒸気の湿り度が高くしかも周速が高速となるので、水滴（ドレン）が翼面に高速で衝突する頻度が高く、エロージョンが発生しやすい環境にあることが理由である。しかし、本発明の蒸気タービンのドレン排出構造を最終段落以外の構造にも適用可能である。
【００２０】
具体的は、最終段の静翼１１の各々は内部に中空部（図示せず）を有しており、静翼１１の中空部は翼根リング１２の後述する中空部２１に連通している。また、最終段の各静翼１１の翼面には、径方向に延在する翼面スリット１１ａが径方向に間隔をあけて複数設けられている。また、翼面スリット１１ａは蒸気の流れ方向に複数列（図２では、２列）設けられており、翼面スリット１１ａの上流側列と下流側列は、径方向の位置が互い違いにずれるように配列されている。翼面スリット１１ａの各々は静翼１１の中空部に連通している。
【００２１】
最終段の静翼列１０をタービン車室９に固定する翼根リング１２は、その内部に中空部２１を有している。翼根リング１２の内周壁には、翼根リング１２の中空部２１に連通する貫通孔２２が周方向に沿って複数設けられている。翼根リング１２の中空部２１は、蒸気が最終段の静翼列１０を通過する際に熱落差により生じたドレンを収集するドレンポケットとして機能する。すなわち、ドレンポケットは、周方向に延在する空間であり、例えば、環状空間である。翼根リング１２の中空部２１には、収集したドレンを吸引する真空吸引装置３０が接続されている。最終段の静翼列１０の内周端に取り付けられたシュラウド１３は、その内部に中空部２３を有しており、中空部２３は各静翼１１の中空部に連通している。
【００２２】
翼根リング１２が固定されたタービン車室９の部分のうち、下半ケーシング９ａの下側部分には、翼根リング１２の中空部２１の下側に連通するドレン排出孔２４が周方向に間隔をあけて複数（図２では、１つのみ図示）設けられている。ドレン排出孔２４の出口下方には、ドレン排出孔２４から排出されるドレンを回収するドレン受け２６が配設されている。ドレン受け２６は、ロータ軸５の軸方向から見て円弧状の部材であり、複数のドレン排出孔２４の周方向の一端から他端まで延在している。ドレン受け２６の底部には、接続管２７の一端が接続されている。接続管２７は、その他端が蒸気タービン外のプラントに敷設された配管（図示せず）に接続可能とされるものである。
【００２３】
次に、本発明の蒸気タービンのドレン排出構造の第１の実施の形態の作用を図１及び図２を用いて説明する。
図１に示すように、環状流路Ｐに導入された作動流体としての蒸気は、複数の静翼列１０及び動翼列６を交互に通過し、その後、最終段の動翼列６からフローガイド１４に沿って排気室（図示せず）へ流出し、最終的には復水器（図示せず）に導かれる。この蒸気は、静翼列１０を通過する際に、その熱エネルギーの一部が運動エネルギーに変換されることで加速する。その後の動翼列６の通過の際には、蒸気の運動エネルギーの一部が動翼７の回転トルクに変換され、ロータ軸５に連結された負荷が回転駆動される。
【００２４】
蒸気は、図２に示す最終段の静翼列１０を通過する際、熱落差により温度が低下し、その一部が凝縮して比較的小さな径の水滴(ドレン)となる。この水滴の多くは、静翼１１の翼面や翼根リング１２の内周壁面等に衝突して付着する。静翼１１の翼面等に付着した水滴は、集積されて水膜を形成する。
【００２５】
上記した水滴や水膜の捕獲や除去、分離等を行う構造を備えていない蒸気タービンの場合、上記の水膜は、静翼の翼面上等を下流側に移動し、その下流側端縁から比較的大きな径の水滴として飛散する。飛散した水滴は、最終段の静翼列の下流に位置する最終段の動翼列の衝突し、動翼の翼面を侵食するエロージョンの原因や動翼の回転を妨げる湿り損失の原因となる。
【００２６】
それに対して、本実施の形態においては、環状流路Ｐ内の圧力が翼根リング１２の中空部２１内の圧力より高いので、最終段の静翼１１の翼面上のドレン（水膜）は、翼面スリット１１ａから吸引され、静翼１１の中空部を介してドレンポケットとしての翼根リング１２の中空部２１に集められる。また、最終段の静翼１１が取り付けられた翼根リング１２の内周壁面上のドレン（水膜）は、貫通孔２２を介してドレンポケット２１に集められる。
【００２７】
ドレンポケット２１に集められたドレンの一部は、真空吸引装置３０によって吸引されて回収される。ドレンポケット２１に集められた残りのドレンは、その自重により、ドレンポケット２１の下側に設けたドレン排出孔２４から排出され、ドレン受け２６により回収される。ドレン受け２６に回収されたドレンは、接続管２７を介して、蒸気タービン外に敷設されたプラントの配管（図示せず）に排出されて処理される。
【００２８】
このように、本実施の形態においては、最終段の静翼列１０の通過の際に発生するドレンを、翼根リング１２内のドレンポケット２１に集め、ドレン排出孔２４、ドレン受け２６、及び接続管２７を順に介して、プラントの配管に排出して確実に処理することができる。すなわち、ドレンポケット２１に集めたドレンをタービン車室９のドレン排出孔２４から蒸気タービン外の周囲へそのまま排出することを回避できる。
【００２９】
蒸気タービンのドレン排出方法としては、図２に示す蒸気タービン１のように、収集したドレンを蒸気タービン外に敷設されたプラントの配管に排出するものがある。その一方で、収集したドレンを蒸気タービンの車室に設けた排出孔から蒸気タービン外の周囲にそのまま排出するものもある。
【００３０】
次に、収集したドレンを蒸気タービン外の周囲にそのまま排出する従来の蒸気タービンのドレン排出構造を図３を用いて説明する。図３は収集したドレンを蒸気タービン外の周囲にそのまま排出する従来の蒸気タービンのドレン排出構造を示す断面図である。図３中、白抜き矢印は蒸気の流れを、点線矢印はドレンの流れを示している。図３において、図１及び図２に示す符号と同符号ものは、同様な部分であるので、その詳細な説明は省略する。
【００３１】
具体的には、従来の蒸気タービン１００は、図３に示すように、翼根リング１２の内部に形成された環状空間のドレンポケット２１と、タービン車室９の下側部分にドレンポケット２１の下側に連通するように設けられた複数のドレン排出孔２４とで構成されたドレン排出構造を備えている。つまり、従来の蒸気タービン１００のドレン排出構造は、図２に示す蒸気タービン１におけるドレン受け２６及び接続管２７を備えていない。したがって、図３に示す従来の蒸気タービン１００では、ドレンポケット２１に集められたドレンは、点線矢印で示すように、その自重によりタービン車室９の下側部分に設けた複数のドレン排出孔２４から蒸気タービン外の周囲に直接排出される。すなわち、従来の蒸気タービン１００においては、図２に示す蒸気タービン１とは異なり、蒸気タービンから排出されるドレンを処理するためのプラントの配管が不要となる。
【００３２】
ところで、ドレンの排出方法が上記のように異なる蒸気タービンを換装する場合、ドレンの排出方法の相違に起因して、蒸気タービンの換装工事の工程の増加及び工期の長期化が生ずることがある。具体的には、蒸気タービン外に敷設されているプラントの配管にドレンを排出する構成の蒸気タービンを、タービン車室９に設けたドレン排出孔２４から蒸気タービン外の周囲にドレンを排出する従来の蒸気タービン１００に換装する場合、蒸気タービン外の既設配管を撤去する必要がある。したがって、既設配管の撤去のため、現地工事の工程が増え、工期が延びるという問題が生じる。
【００３３】
それに対して、本実施の形態のドレン排出構造を備える蒸気タービンへの換装の場合には、プラントのドレン処理用の既設配管を流用することができる。具体的には、プラントの既設配管をドレン受け２６に接続されている接続管２７の一端に接続できるようにその一部を改修すればよい。これにより、ドレンポケット２１に収集したドレンを、ドレン排出孔２４、ドレン受け２６、及び接続管２７を順に介してプラントの配管に排出して処理するように構成することができる。したがって、従来の蒸気タービン１００への換装工事の場合と比較すると、ドレン処理用の既設配管の撤去が必要ない分、現地工事の工程及び工期を短縮することができる。
【００３４】
上述したように、蒸気タービン外のプラントの配管にドレンを排出する構成の蒸気タービンを、ドレン排出孔２４から蒸気タービン外の周囲にドレンをそのまま排出する従来の蒸気タービン１００に換装する場合、既設配管の撤去のため、換装工事の工程の増加及び工期の長期化という問題がある。この場合、換装工事の前に、従来の蒸気タービン１００のドレン排出構造を本発明の蒸気タービンのドレン排出構造の第１の実施の形態に予め改造することで、現地工事の工程及び工期の短縮を図ることができる。
【００３５】
具体的には、翼根リング１２の内部に形成されたドレンポケット２１と、タービン車室９の下側部分にドレンポケット２１の下側に連通するように設けられたドレン排出孔２４とで構成された図３に示す蒸気タービン１００のドレン排出構造において、ドレン排出孔２４の出口下方に、ドレン排出孔２４から排出されるドレンを回収するドレン受け２６を配設する。さらに、プラントの配管に一端を接続可能である接続管２７の他端をドレン受け２６の底部に接続する。これにより、従来の蒸気タービン１００のドレン排出構造を、図２に示す蒸気タービン１のドレン排出構造と同様な構造に改造することができる。
【００３６】
このように改造されたドレン排出構造（図２に示すドレン排出構造）を備えた蒸気タービンに換装する場合、ドレンポケット２１に収集したドレンを、ドレン排出孔２４、ドレン受け２６、及び接続管２７を順に介して蒸気タービン外のプラントの配管に排出するように構成できる。つまり、プラントの既設配管をドレン処理用の配管として流用できるので、プラントの既設配管を撤去する必要がなく、現地工事の工程及び工期の短縮が可能となる。
【００３７】
上述したように、本発明の蒸気タービンのドレン排出構造の第１の実施の形態及びその改造方法によれば、ドレン排出孔２４の出口下方にドレンを回収するドレン受け２６を設けると共に、蒸気タービン外に敷設される配管に接続可能な接続管２７の一端をドレン受け２６の底部に接続しているので、ドレンポケット２１に収集されたドレンをドレン排出孔２４、ドレン受け２６、及び接続管２７を介して蒸気タービン外の配管に排出して処理することが可能である。すなわち、収集したドレンをプラントに敷設された配管に排出する構成の蒸気タービンから、収集したドレンをタービン車室９（静止体３）のドレン排出孔２４を介して蒸気タービン外に排出する構成の蒸気タービンへの換装工事において、蒸気タービン外の既設配管をドレン処理用の配管として流用することができるので、蒸気タービン外の既設配管を撤去する必要がなく、現地工事の工程及び工期の短縮が可能となる。
【００３８】
また、本実施の形態によれば、周方向に沿って設けられた複数のドレン排出孔２４に対応して、ドレン受け２６をドレン排出孔２４の周方向の一端から他端まで延在する部材としたので、複数のドレン排出孔２４から排出されるドレンをすべてドレン受け２６で回収することができる。したがって、収集されたドレンがドレン排出孔２４から蒸気タービン外の周囲へそのまま排出されることはない。
【００３９】
さらに、本実施の形態によれば、翼根リング１２の中空部２１をドレンポケットとして利用したので、ドレンポケットのための空間を別途確保する必要がなく、空間の有効利用を図ることができる。
【００４０】
［第２の実施の形態］
次に、本発明の蒸気タービンのドレン排出構造の第２の実施の形態を図４を用いて説明する。図４は本発明の蒸気タービンのドレン排出構造の第２の実施の形態を示す断面図である。図４中、白抜き矢印は蒸気の流れを示している。なお、図４において、図１乃至図３に示す符号と同符号のものは、同様な部分であるので、その詳細な説明は省略する。
【００４１】
図４に示す本発明の蒸気タービンのドレン排出構造の第２の実施の形態は、第１の実施の形態が翼根リング１２の中空部２１をドレンポケットとして用いたものであるのに対して、静止体３Ａの一部である翼根リング１２Ａ及びタービン車室９Ａの２つの部材の壁面によりドレンポケット２１Ａを画成したものである。
【００４２】
具体的には、最終段の静翼１１Ａの各々は、第１の実施の形態と異なり、内部に中空部を有しておらず、翼面スリットも有していない。また、最終段の翼根リング１２Ａ及びシュラウド１３Ａは、第１の実施の形態と異なり、中空部を有していない。また、最終段の翼根リング１２Ａの内周壁には、貫通孔が形成されていない。
【００４３】
最終段の翼根リング１２Ａとタービン車室９Ａの間には、周方向に延在するドレンポケット２１Ａが画成されている。つまり、ドレンポケット２１Ａは、タービン車室９Ａの壁面と最終段の翼根リング１２Ａの壁面とにより画成されている。最終段の静翼列１０Ａと動翼列６の間の環状流路Ｐの外周側には、ドレンポケット２１Ａと環状流路Ｐとを連通させるスリット２２Ａが形成されている。スリット２２Ａは、最終段の翼根リング１２Ａの蒸気流れ下流側の側壁とタービン車室９Ａの側壁とを対向させることで環状に形成されている。
【００４４】
ドレンポケット２１Ａを画成するタービン車室９Ａの下側部分には、ドレンポケット２１Ａの下側に連通するドレン排出孔２４Ａが周方向に間隔をあけて複数（図４では、１つのみ図示）設けられている。ドレン排出孔２４Ａの出口下方には、ドレン排出孔２４Ａから排出されるドレンを回収するドレン受け２６Ａが配設されている。ドレン受け２６Ａは、ロータ軸５の軸方向から見て円弧状の部材であり、複数のドレン排出孔２４の周方向の一端から他端まで延在している。ドレン受け２６Ａの底部には、第１の実施の形態と同様に、接続管２７の一端が接続されており、接続管２７の他端は蒸気タービン外のプラントの配管（図示せず）に接続可能とされている。
【００４５】
本実施の形態においては、最終段の静翼列１０Ａを通過して熱落差により生じた水滴(ドレン)は、最終段の静翼列１０Ａの下流側に形成されたスリット２２Ａを介してドレンポケット２１Ａに集められる。ドレンポケット２１Ａに収集されたドレンは、第１の実施の形態と同様に、その一部が真空吸引装置３０によって吸引されて回収される。また、残りのドレンは、第１の実施の形態と同様に、その自重によりドレン排出孔２４Ａから排出され、ドレン受け２６Ａにより回収される。ドレン受け２６Ａに回収されたドレンは、接続管２７を介して蒸気タービン外のプラントの配管（図示せず）に排出されて処理される。
【００４６】
このように、翼根リング１２Ａ及びタービン車室９Ａによりドレンポケット２１Ａを画成した場合であっても、ドレンポケット２１Ａに収集されたドレンを、ドレン排出孔２４Ａ、ドレン受け２６Ａ、及び接続管２７を順に介して蒸気タービン外のプラントの配管に排出することができる。したがって、第１の実施の形態と同様に、タービン車室外の周囲へのドレンの排出を回避することができる。
【００４７】
また、収集したドレンを蒸気タービン外のプラントの配管に排出する構成の蒸気タービンから、本実施の形態のドレン排出構造を備えた蒸気タービン１Ａへの換装の場合には、第１の実施の形態と同様に、プラントのドレン処理用の既設配管を流用できるので、既設配管の撤去の必要がある従来の蒸気タービン１００への換装工事の場合と比較すると、現地工事の工程及び工期を短縮することができる。
【００４８】
さらに、翼根リング１２Ａ及びタービン車室９Ａにより画成されたドレンポケット２１Ａと、タービン車室９Ａの下側部分にドレンポケット２１Ａの下側に連通するように設けた複数のドレン排出孔２４Ａとで構成され、ドレン排出孔２４Ａから蒸気タービン外の周囲にドレンをそのまま排出する蒸気タービンのドレン排出構造に対して、ドレン排出孔２４Ａの出口下方にドレン受け２６Ａを配設し、ドレン受け２６Ａの底部に接続管２７を接続する改造を行うことができる。この場合、収集したドレンを蒸気タービン外のプラントの配管に排出することができる。
【００４９】
上述したように、本発明の蒸気タービンのドレン排出構造及びその改造方法の第２の実施の形態によれば、翼根リング１２Ａ及びタービン車室９Ａによりドレンポケット２１Ａを画成する場合であっても、第１の実施の形態と同様な効果を得ることができる。
【００５０】
［その他の実施の形態］
なお、本発明は上述した第１及び第２の実施の形態に限られるものではなく、様々な変形例が含まれる。上記した実施形態は本発明をわかり易く説明するために詳細に説明したものであり、必ずしも説明した全ての構成を備えるものに限定されるものではない。例えば、ある実施形態の構成の一部を他の実施の形態の構成に置き換えることが可能であり、また、ある実施形態の構成に他の実施の形態の構成を加えることも可能である。また、各実施形態の構成の一部について、他の構成の追加、削除、置換をすることも可能である。
【００５１】
例えば、上述した第１及び第２の実施の形態においては、ドレンポケットを、翼根リング１２の中空部２１、又は、翼根リング１２Ａとタービン車室９Ａとで画成した例を示したが、静翼列又は動翼列を通過する際に生じた水滴（ドレン）を収集可能であれば、静止体３の任意の部材を用いることで、ドレンポケットを画成することが可能である。
【符号の説明】
【００５２】
２…回転体、  ３、３Ａ…静止体、  ９、９Ａ…タービン車室、  １１、１１Ａ…静翼、  １２、１２Ａ…翼根リング、  ２１、２１Ａ…ドレンポケット、  ２４、２４Ａ…ドレン排出孔、  ２６、２６Ａ…ドレン受け、  ２７…接続管
【図１】
2019019680.tif 000003
【図２】
2019019680.tif 000004
【図３】
2019019680.tif 000005
【図４】
2019019680.tif 000006